(57)【要約】【目的】自動実装機で実装可能なカードコネクタの取付構造を得る。【構成】メディアＭが接続されるコネクタ１２が実装された基板１６が取付られた外装１８とメディアＭをコネクタ１２へ案内するガイド１４が取付られている外装２０とが組み合わされたとき、メディアＭは、メディア挿入部２４から挿入され、ガイド１４によってコネクタ１２へ案内され、コネクタ１２と接続される。ここで、コネクタ１２とガイド１４とが分離されて、ガイド１４が外装２０に取付られているため、コネクタ１２は小型化されて自動実装機で基板１６に実装されることが可能である。従って、他の実装部品を自動実装機で実装した後で、手半田でカードコネクタ１０を実装する必要はなく、作業工数及び実装不良の低減が可能である。【選択図】  図５
2004220297.tif 000002
【特許請求の範囲】
【請求項１】
情報記録媒体が接続されるコネクタが実装された基板と、
前記基板が取付けられた第１ケースと、
前期第１ケースと組み合わされ筐体を構成する第２ケースと、
前記第２ケースに取付けられ、前期第１ケースと前記第２ケースとが組み合わされたとき、前記情報記録媒体を前記コネクタへ案内する案内経路を形成する案内部材と、
を備えることを特徴とするカードコネクタの取付構造。
【請求項２】
前記基板は、前記案内部材によって前記第１ケースへ押圧されていることを特徴とする請求項１に記載のカードコネクタの取付構造。
【発明の詳細な説明】
【０００１】
【発明の属する技術分野】
本発明はカードコネクタの取付構造に係り、特に自動実装機で実装が可能なカードコネクタの取付構造に関する。
【０００２】
【従来の技術】
従来、図７に示すように、メディア等の情報記録媒体９８を接続するカードコネクタ１００は、端子部１０２とガイド付きモールド１０４とが一体となっていた。（例えば、特許文献１、或いは特許文献２参照）
しかしながら、カードコネクタ１００のガイド付モールド１０４は、ケース形状をしているため大きく、その寸法制約等から自動実装機で基板１０６に実装することは困難であった。
【０００３】
従って、カードコネクタ１００は、他の部品を自動実装機で実装した後、主に手半田で基板１０６に接続されていたため、作業工数が増加し、実装不良の発生が多いという問題があった。
【０００４】
【特許文献１】
特開２００１−３５５９３号公報
【特許文献２】
特開２００１−２６７０１０号公報
【０００５】
【発明が解決しようとする課題】
本発明は上記事実を考慮してなされたものであり、自動実装機で実装でき、作業工数及び実装不良を低減することを目的とする。
【０００６】
【課題を解決するための手段】
請求項１に係るカードコネクタの取付構造は、情報記録媒体が接続されるコネクタが実装された基板と、前記基板が取付けられた第１ケースと、前期第１ケースと組み合わされ筐体を構成する第２ケースと、前記第２ケースに取付けられ、前期第１ケースと前記第２ケースとが組み合わされたとき、前記情報記録媒体を前記コネクタへ案内する案内経路を形成する案内部材と、を備えることを特徴とする。
【０００７】
請求項１に係るカードコネクタの作用を以下に説明する。
【０００８】
第１ケースに、コネクタが実装された基板を取付け、案内部材が設けられた第２ケースを組み合わせる。これにより、筐体の中には、案内部材によって情報記録媒体がコネクタへ案内される案内経路が形成される。この案内経路へ情報記録媒体を挿入することで、情報記録媒体がコネクタへ接続される。
【０００９】
ここで、基板に実装されるのは、コネクタのみであり、コネクタは自動実装機での実装が可能な小さい部品であるため、従来の手半田での接続作業が削減され、作業工数及び実装不良を低減することが可能となる。
【００１０】
また、コネクタを露出した状態で実装することができるため、コネクタの実装状態を容易に検査することが可能である。
【００１１】
請求項２に係るカードコネクタは、請求項１に記載のカードコネクタにおいて、    前記基板は、前記案内部材によって前記第１ケースへ押圧されていることを特徴とする。
【００１２】
請求項２に係るカードコネクタの作用を以下に説明する。
【００１３】
第１ケースと第２ケースとが組み合わされたとき、筐体の中の基板は、案内部材によって第１ケースへ押圧されている。
【００１４】
即ち、基板は、案内部材によって第１ケースへ押圧されるため、基板を第１ケースへ固定するネジの本数を低減できる。
【００１５】
【発明の実施の形態】
以下に図面を参照しながら本発明の一実施の形態を詳細に説明する。
【００１６】
図１〜６に示すように、本実施形態のカードコネクタの取付構造は、デジタルカメラＣに備えられており、カードコネクタ１０には、カード状のメディアＭが接続される。
【００１７】
カードコネクタ１０は、メディアＭが接続されるコネクタ１２と、メディアＭをコネクタ１２へ案内するガイド１４とで構成されている。コネクタ１２は、自動実装機で基板１６に実装されている。
【００１８】
また、ガイド１４は、メディアＭの挿入方向と直行する断面がチャンネル型で、ガイド板片１４ａが互いに接近する方向へ延出し、メディアＭが挿入される案内経路１４ｂを構成している。このガイド１４の頂面１４ｃが第２ケースとしての外装２０の内壁に固定されている。
【００１９】
そして、デジタルカメラＣの外装は、基板１６が取付られた第１ケースとしての外装１８とガイド１４が取付られた外装２０とで構成されている。
【００２０】
そして、外装２０の側面２０Ａには、メディア挿入部２４が設けられており、外装１８と外装２０とが、組み合わされた状態では、メディア挿入部２４は、挿入されるメディアＭを案内経路１４ｂへ略真直に案内できる位置に配置されている。
【００２１】
これにより、案内経路１４ｂの奥方に位置するコネクタ１２の端子１２ＡへメディアＭの端子Ｍ１が接続される。
【００２２】
一方、外装１８と外装２０とが組み合わされた状態では、基板１６はガイド板片１４ａによって押圧されている。
【００２３】
即ち、基板１６は、ガイド１４によって外装１８へ押圧されるため、基板１６を外装１８へ固定するネジの本数を低減できる。
【００２４】
一方、デジタルカメラＣの内側には、多くの部品が配設されており、これらの部品は外装１８、２０の内壁に接触しないように高さの制約を受けることで外装内寸法より小さく設計されている。
【００２５】
しかし、外装２０に取付けられたガイド１４が基板１６に当接することで外装内寸法が決まるので、外装１８と外装２０の部品精度や組付け誤差等を考慮してデジタルカメラＣの内部の部品の高さを設定する必要はない。このため、デジタルカメラＣの内部の部品の高さを小さめに設計する必要がなくなる。
【００２６】
また、コネクタ１２とガイド１４とが分離されて、ガイド１４が外装２０に取付られていることにより、コネクタ１２は小型化されて自動実装機で基板１６に実装されることが可能となる。
【００２７】
従って、従来のように他の実装部品を自動実装機で実装した後、手半田でカードコネクタを実装する必要はないので、作業工数及び実装不良を低減することができる。
【００２８】
また、ガイド１４は、外装２０に取付られているため、露出した状態のコネクタ１２の実装状態を容易に検査することが可能である。
【００２９】
なお、本実施形態においては、デジタルカメラについて説明したが、パソコン等の他の機器においても採用可能である。
【００３０】
また、本発明のカードコネクタは、メディア以外の他の情報記録媒体にも対応可能である。
【００３１】
【発明の効果】
本発明は上記構成としたので、自動実装機で実装でき、作業工数及び実装不良を低減することができる。
【図面の簡単な説明】
【図１】本実施形態に係るカードコネクタの取付け構造を示す分解斜視図である。
【図２】本実施形態に係るカードコネクタの取付構造を備えるデジタルカメラを示す斜視図である。
【図３】本実施形態に係るカードコネクタの取付構造を示す分解正面図である。
【図４】本実施形態に係るカードコネクタの取付構造を示す正面図である。
【図５】図３の５−５断面図である。
【図６】図４の６−６断面図である。
【図７】従来例に係るカードコネクタを示す斜視図である。
【符号の説明】
１０    カードコネクタ
１２    コネクタ
１４    ガイド（案内部材）
１４ｂ  案内経路
１６    基板
１８    外装（第１ケース）
２０    外装（第２ケース）
Ｍ      メディア（情報記録媒体）
【図１】
2004220297.tif 000003
【図２】
2004220297.tif 000004
【図３】
2004220297.tif 000005
【図４】
2004220297.tif 000006
【図５】
2004220297.tif 000007
【図６】
2004220297.tif 000008
【図７】
2004220297.tif 000009